(57)【要約】      （修正有）【課題】ユーザのニーズに応じてユーザに最適なネットワークを選択する。【解決手段】無線ネットワークにおいてネットワーク又はセルを選択する方法であって、ネットワーク又はセル、及び移動端末の少なくとも一つの属性値に重みを割り当てるステップと、重みが割り当てられた属性重みベクトルと、対応するネットワーク又はセルの効用関数と、移動端末が収集したネットワーク又はセルの属性値及び自体の属性値とを、属性マトリクスに入力するステップと、属性マトリクスを利用して各予備ネットワーク又はセルの評価値を計算するステップと、取得した各予備ネットワーク又はセルの評価値に基づいて最終の目標ネットワーク又はセルを確定するステップとを含む。無線ネットワークにおいてネットワーク又はセルを選択する装置をさらに含む。【選択図】図２
2008263612.tif 000002
【特許請求の範囲】
【請求項１】
無線ネットワークにおいてネットワーク又はセルを選択する方法であって、
ネットワーク又はセル、及び移動端末の少なくとも一つの属性値に重みを割り当てるステップと、
重みが割り当てられた属性重みベクトルと、対応するネットワークの効用関数と、移動端末が収集したネットワーク又はセルの属性値及び自体の属性値とを、属性マトリクスに入力するステップと、
前記属性マトリクスを利用して各予備ネットワーク又はセルの評価値を計算するステップと、
取得した各予備ネットワーク又はセルの評価値に基づいて最終の目標ネットワーク又はセルを確定するステップとを含むことを特徴とする方法。
【請求項２】
属性マトリクスを処理するステップに、属性マトリクスにおける効用関数に関する属性値を効用関数に代えるステップを含むことを特徴とする請求項１に記載の方法。
【請求項３】
前記ネットワーク属性値が、ネットワークのアクセス遅延を含むことを特徴とする請求項１に記載の方法。
【請求項４】
前記効用関数が、異なるネットワーク又はセルの状態で移動端末のユーザのネットワーク又はセル中の対応するサービスに対する満足程度を表すことを特徴とする請求項１に記載の方法。
【請求項５】
取得した各ネットワーク又はセルの評価値を所定の閾値と比較して、評価値が所定の閾値より低いネットワーク又はセルをネットワーク又はセルの予備リストから削除するステップをさらに含むことを特徴とする請求項１に記載の方法。
【請求項６】
ネットワーク又はセルの予備リスト内の残りネットワーク又はセルの評価値の総計を計算して、各残りネットワーク又はセルの選択確率区間を確定するステップをさらに含むことを特徴とする請求項５に記載の方法。
【請求項７】
範囲が０乃至１の間である、目標ネットワーク又はセルを選択するための、均一に分布された乱数Vを発生するステップをさらに含むことを特徴とする請求項６に記載の方法。
【請求項８】
乱数Vが位置しているネットワーク又はセルの確率選択区間Aを確定し、発生した乱数V∈Aiとなれば、ネットワークiを目標ネットワーク又はセルとして選択するステップをさらに含むことを特徴とする請求項７に記載の方法。
【請求項９】
移動端末が選択したネットワーク又はセルが新規ネットワーク又は新規セルである場合、新規ネットワーク又は新規セルにアクセスする条件を満たすか否かを判断するステップをさらに含むことを特徴とする請求項８に記載の方法。
【請求項１０】
移動端末の現在位置しているネットワーク又はセルに対するサービス満足度が所定の閾値より小さく、且つ新規ネットワーク又は新規セルの評価値が現在位置しているネットワーク又はセルの評価値より大きい場合、移動端末が新規ネットワーク又は新規セルにアクセスすることを特徴とする請求項９に記載の方法。
【請求項１１】
新規ネットワーク又は新規セルの評価値と移動端末が現在位置しているネットワーク又はセルの評価値との比が所定の閾値より大きい場合、移動端末が新規ネットワーク又は新規セルにアクセスすることを特徴とする請求項９に記載の方法。
【請求項１２】
移動端末の現在位置しているネットワーク又はセルに対するサービス満足度が所定の閾値より小さく、且つ新規ネットワーク又は新規セルの評価値と現在位置しているネットワーク又はセルの評価値との比が所定の閾値より大きい場合、移動端末が新規ネットワーク又は新規セルにアクセスすることを特徴とする請求項９に記載の方法。
【請求項１３】
移動端末をカバーしている各予備ネットワーク又はセルが、その現在のネットワーク又はセル側属性値を前記移動端末へブロードキャストすることを特徴とする請求項１に記載の方法。
【請求項１４】
移動端末の現在アクセスしてるネットワーク又はセルを前記移動端末のエージェントとして予備ネットワーク又はセルから前記予備ネットワーク又はセルのネットワーク又はセル側属性値を取得し、前記予備ネットワーク又はセルのネットワーク又はセル属性値を取得した後、現在アクセスされているネットワーク又はセルが、移動端末から提供した重みベクトルと特定サービスに対する効用関数とに基づいて、予備ネットワーク又はセルの評価値の一部を計算し計算結果を移動端末に送信することを特徴とする請求項１に記載の方法。
【請求項１５】
移動端末が、自体の計算したネットワーク又はセルの評価値の他の部分と、現在アクセスしているネットワーク又はセルの計算した前記予備ネットワーク又はセルの評価値の一部とを加算して、最終のネットワーク又はセルの評価値を取得し、最終の目標ネットワーク又はセルを確定するステップをさらに含むことを特徴とする請求項１４に記載の方法。
【請求項１６】
無線異種ネットワークにおいて、移動端末の選択対象がネットワークであることを特徴とする請求項１乃至１５のいずれか１項に記載の方法。
【請求項１７】
無線同種ネットワークにおいて、移動端末の選択対象がセルであることを特徴とする請求項１乃至１５のいずれか１項に記載の方法。
【請求項１８】
無線ネットワークにおいてネットワーク又はセルを選択する方法であって、
移動端末のユーザが無線ネットワーク又はセル、及び移動端末の少なくも一つの属性値に割り当てられた重みと、移動端末のユーザのサービスニーズ情報とを受信するステップと、
ネットワーク又はセルの状態情報及び端末機器の状態情報を取得して、無線ネットワーク及び移動端末自体の属性値を取得するステップと、
割り当てられた属性重みベクトルと、無線ネットワーク又はセル、及び移動端末自体の属性値とを属性マトリクスに入力し、属性マトリクスを利用して各予備ネットワーク又はセルの評価値を計算するステップと、
取得した各予備ネットワーク又はセルの評価値に基づいて最終の目標ネットワーク又はセルを確定するステップとを含むことを特徴とする方法。
【請求項１９】
移動端末の現在位置しているネットワーク又はセルに対するサービス満足度が所定の閾値より小さく、且つ新規ネットワーク又は新規セルの評価値が現在位置しているネットワーク又はセルの評価値より大きい場合、移動端末が新規ネットワーク又は新規セルにアクセスすることを特徴とする請求項１８に記載の方法。
【請求項２０】
新規ネットワーク又は新規セルの評価値と移動端末が現在位置しているネットワーク又はセルの評価値との比が所定の閾値より大きい場合、移動端末が新規ネットワーク又は新規セルにアクセスすることを特徴とする請求項１８に記載の方法。
【請求項２１】
移動端末の現在位置しているネットワーク又はセルに対するサービス満足度が所定の閾値より小さく、且つ新規ネットワーク又は新規セルの評価値と現在位置しているネットワーク又はセルの評価値との比が所定の閾値より大きい場合、移動端末が新規ネットワーク又は新規セルにアクセスすることを特徴とする請求項１８に記載の方法。
【請求項２２】
前記ネットワーク又はセルの属性値が、ネットワーク又はセルのアクセス遅延を含むことを特徴とする請求項１８に記載の方法。
【請求項２３】
無線異種ネットワークにおいて、移動端末の選択対象がネットワークであることを特徴とする請求項１８乃至２２のいずれか１項に記載の方法。
【請求項２４】
無線同種ネットワークにおいて、移動端末の選択対象がセルであることを特徴とする請求項１８乃至２２のいずれか１項に記載の方法。
【請求項２５】
無線ネットワークにおいてネットワーク又はセルを選択する装置であって、
対応する無線ネットワーク又はセルの状態情報を取得するネットワーク又はセル状態検出手段と、
各ネットワーク又はセル、及び移動端末自体の属性値に重みを割り当て、ユーザのニーズ情報を取得するユーザニーズ配置手段と、
移動端末の操作に関する情報を取得する端末機器検出手段と、
無線ネットワーク及び移動端末自体の状態情報と、重みが割り当てられた属性重みベクトルとに基づき、属性マトリクスを利用して各予備ネットワーク又はセルの評価値を計算し、各予備ネットワーク又はセルの評価値に基づいてネットワーク又はセルを選択するネットワーク又はセル選択確定手段とを備えることを特徴とする装置。
【請求項２６】
前記ネットワーク又はセル選択確定手段が、選択の結果に基づき対応する無線インタフェースをアクティブにして、対応する無線ネットワーク又はセルにアクセスすることを特徴とする請求項２５に記載の装置。
【発明の詳細な説明】
【技術分野】
【０００１】
本発明は、無線ネットワーク環境においてネットワークを選択する方法及び装置に関し、特に、多属性意思決定（ＭＡＤＭ：Ｍｕｌｔｉｐｌｅ  Ａｔｔｒｉｂｕｔｅ  Ｄｅｃｉｓｉｏｎ  Ｍａｋｉｎｇ）及び無線異種ネットワークの特徴に基づき、ユーザを中心としてネットワーク選択を行う方法及び装置に関する。
【背景技術】
【０００２】
無線通信技術及びネットワークの急速な発展につれて、ユーザはいつでも、どこでも自分の希望している情報及びサービスをアクセスすることができる。将来の無線通信システムは、異なるアクセス技術を採用している複数の無線異種ネットワークと、ネットワーク中の基地局が複数のセルをカバーする同種ネットワークとからなる混合システムであり、これらの異なるアクセス技術は互いに補充している。
【０００３】
以下に、異種ネットワークの例を挙げて無線ネットワーク環境を説明する。図１は、異種無線ネットワーク環境の模式図を示す。異種無線ネットワーク環境では、１つの移動端末が多種の無線ネットワークによってカバーされることができる。図１に示すように、異種無線ネットワークにおける移動端末は、例えば、ＧＳＭ，ＵＭＴＳ，ＷｉＭＡＸ，ＣＤＭＡ及びＷＬＡＮ等のネットワークによってカバーされている。これらの無線ネットワークは、ユビキタス（Ｕｂｉｑｕｉｔｏｕｓ）のカバレッジ・アクセスをユーザに提供する。これらのネットワークにおいて、ネットワークオペレータは便利且つ吸引力のあるサービスをユーザに提供すべきである。
【０００４】
将来の無線システムは、ユーザが異なるアクセス技術又は異なる技術の組合せを利用してサービス転送を実現することができるように、通常、多種の無線転送インタフェースを有する。したがって、将来の無線通信システムはユーザを中心とするものであり、ユーザのニーズに応じてユーザに満足できるサービスを提供しなければならない。このようなシステムにおいて、ユーザがニーズに応じて最適なネットワークを動的且つ柔軟に選択してサービスを転送することで、最適なアクセス方式を実現することができると言うことは、予見し得る。これは、ユーザがネットワークにアクセスすることだけでなく、ネットワークを介していつでも、どこでも最も満足できるサービスを受けることもできると言うことを意味している。上記の目的を達成するために、端末機器にインテリジェントのネットワーク選択方法を提供する必要があり、したがって、ユーザは個人のニーズ、サービス満足度及びネットワーク特性等の側面で良好な折衷を実現することができ、且つ、ユーザがネットワーク環境に拘わらず効果的なネットワーク選択を行うことができることを保証し、移動端末のユーザが最適なネットワークを選択してそのサービスを転送するようにする。
【０００５】
現在のネットワーク選択方法は、主に２種類の方式を採用している。一つは、ユーザにより手動でネットワークを選択する、即ち、異なる無線ネットワークの間で手動で切り替える。ユーザが人工の方式によってネットワークを選定しなければならないので、この方法は極めて煩雑である。もう一つのネットワーク選択方法は、自動選択方法である。このような方法は、ユーザのニーズを予め機器に入力して、機器がネットワーク環境に応じて最適なネットワークを自動で選択するものである。
【０００６】
自動選択方法は、さらに２種類に分けられる。一つは、多属性意思決定の理論に基づき設計された自動選択方法であり、もう一つは、ファジー論理に基づき設計された自動選択方法である。
【０００７】
ファジー論理に基づき設計されたネットワーク選択方法では、主にファジー意味を利用して最適な目標ネットワークを確定する。当該方法では、通信装置に意思決定ライブラリを設定する必要がある。通信機器がネットワークを選択する時に、ネットワークと対話してシステムの属性値を取得し、ネットワークの属性値についてファジー処理を行ってファジー意味のある結果に変換する必要がある。これらのファジー化の属性値は、ファジー意思決定ライブラリに入力され、例えば「ＩＦ  ＴＨＥＮ」のような意思決定方式によって各ネットワークの評価値を取得し、最大の評価値を有するネットワークを目標ネットワークとして選択される。
【０００８】
ファジー論理に基づく方法には、機器に必要な意思決定ライブラリが非常に大きいという欠陥がある。そして、属性の増加につれて、意思決定ライブラリの構造が複雑になってしまう。また、ユーザが自ら手動で意思決定ライブラリを配置しなければならず、ユーザの使用に不便をもたらす。
【０００９】
多属性意思決定論理に基づくネットワーク選択方法には、現在、３種類の方法がある。第１種は、効用関数に基づくネットワーク選択方法であり、第２種は、コスト関数に基づくネットワーク選択方法であり、第３種は伝統的な多属性意思決定方法である。
【００１０】
効用関数に基づくネットワーク選択方法は、ネットワークの効用関数を定義することで、各ネットワークの適応値を表し、下記の式（１）によって効用関数に基づき計算されたネットワーク適応値を表すことができる。
【数１】
2008263612.tif 000003
【００１１】
ここで、CSiはネットワークiの適応値を表し、Uiはネットワークが提供できる効用値を表し、且つユーザがネットワークiで感じるサービス品質を表し、Ciはネットワークiの価格を表す。効用関数に基づくネットワーク選択方法では、最大の適応値を有するネットワークが目標ネットワークとして選択される。
【００１２】
コスト関数に基づくネットワーク選択方法は、ネットワークのコスト関数を導入してネットワークの選択を行うものであり、ネットワークのコスト値を計算する方式は、下記の式（２）に示すようになる。
【数２】
2008263612.tif 000004
【００１３】
ここで、Ciはネットワークiのコスト値を表し、αi.jは属性jのネットワークiにおける値（例えば、ネットワークiの遅延）を表し、Wjはユーザが属性jに割り当てる重み値であり、ユーザの異なる属性に対する関心程度を表す。コスト関数に基づくネットワーク選択方法では、最小のコスト値を有するネットワークを目標ネットワークとして選択される。
【００１４】
伝統的な多属性意思決定方法は、マトリクスの形式で異なるネットワークの各属性値を表す。そして、異なるマトリクス処理方法によりマトリクスを計算することで、各ネットワークの評価値を取得する。その基本的な計算は、下記の式（３）に示すようになる。
【数３】
2008263612.tif 000005
【００１５】
ここで、Riはネットワークiの評価値を表し、αi.jは属性jのネットワークiにおける値（例えば、ネットワークiの遅延）を表し、Wjはユーザが属性jに割り当てる重み値であり、ユーザの異なる属性に対する関心程度を表し、fjはαi.jに対する処理関数であり、具体的なマトリクス処理方法により決定される。
【００１６】
伝統的な多属性意思決定方法において、最大の適応値を有するネットワークは目標ネットワークとして選択される。これから分かるように、効用関数やコスト関数に基づくネットワーク選択方法に対して、伝統的な多属性意思決定方法はより普通な形式を持っているので、効用関数やコスト関数に基づくネットワーク選択方法は、伝統的な多属性意思決定方法の特殊例に過ぎない。
【００１７】
上記のネットワーク選択方法によって移動端末は目標ネットワークを確定することができるが、いずれもいくらかの欠陥がある。効用関数に基づくネットワーク選択方法については、ネットワークの提供できるサービス品質及びネットワークの価格しか考慮しておらず、ネットワークの電力消費のような他の属性を考慮していないので、このような方法の拡張性や柔軟性が良くない。
【００１８】
また、コスト関数に基づく方法については、その実用性が悪く、このような方法はｌｎ（・）関数を利用してネットワークの属性値を処理する。しかしながら、２つのネットワークのある属性値がいずれも０である場合、例えば、２つのネットワークがいずれも無料である場合、このようなコスト関数に基づく方法は、２つのネットワークの他の属性における相違点を区別することができない。これは、このような場合に、２つのネットワークの他の属性値がどのような値を取るに拘わらず、２つのネットワークのコスト値がいずれも-∞であるからである。
【００１９】
伝統的な多属性意思決定方法は、主に３つの問題点がある。まず、ユーザの使用料金は増加される可能性があるが、ユーザのサービス品質に対する感じは顕著に増加しない。次に、このような方法は、ユーザの異なるネットワーク間の不均一分布を招来する可能性がある。これは、個別ユーザに対して、最大の適応値を有するネットワークが目標ネットワークとなるからである。このようにして、複数のユーザがネットワークを共通に選択する場合には、ユーザの異なるネットワーク間の不均一分布を招来してしまう可能性がある。最後、伝統的な多属性意思決定方法は、ネットワーク内に「ピンポン効果」を生じる可能性があると言う問題を考慮していない。つまり、ネットワークの適応値が微細な変動を発生した場合、従来の方法は、ユーザの異なるネットワーク間の大量な切り替えを招来し、したがって、ユーザのサービス品質の低下を招来してしまう。
【発明の開示】
【発明が解決しようとする課題】
【００２０】
本発明は、ネットワーク又はセルを選択するプロセスにおいて新規ネットワーク側属性値を導入し、ネットワーク又はセルのアクセスポイントの変更に閾値を設定し、端末が各予備ネットワーク又はセルの評価値に基づき目標ネットワークをランダムに選択して、端末機器がユーザのニーズに応じてユーザに最適なネットワークを選択させることができるようにする、無線ネットワークにおいてネットワーク又はセルを選択する方法及び装置を提供することを目的とする。
【課題を解決するための手段】
【００２１】
本発明の一側面によると、無線ネットワークにおいてネットワーク又はセルを選択する方法であって、ネットワーク又はセル、及び移動端末の少なくとも一つの属性値に重みを割り当てるステップと、重みが割り当てられた属性重みベクトルと、対応するネットワークの効用関数と、移動端末が収集したネットワーク又はセルの属性値及び自体の属性値とを、属性マトリクスに入力するステップと、前記属性マトリクスを利用して各予備ネットワーク又はセルの評価値を計算するステップと、取得した各予備ネットワーク又はセルの評価値に基づいて最終の目標ネットワーク又はセルを確定するステップとを含む方法を提供する。
【００２２】
本発明の他の側面によると、無線ネットワークにおいてネットワーク又はセルを選択する方法であって、移動端末のユーザが無線ネットワーク又はセル、及び移動端末の少なくも一つの属性値に割り当てられた重みと、移動端末のユーザのサービスニーズ情報とを受信するステップと、ネットワーク又はセルの状態情報及び端末機器の状態情報を取得して、無線ネットワーク及び移動端末自体の属性値を取得するステップと、割り当てられた属性重みベクトルと、無線ネットワーク又はセル、及び移動端末自体の属性値とを属性マトリクスに入力し、属性マトリクスを利用して各予備ネットワーク又はセルの評価値を計算するステップと、
取得した各予備ネットワーク又はセルの評価値に基づいて最終の目標ネットワーク又はセルを確定するステップとを含む方法を提供する。
【００２３】
本発明のさらに他の側面によると、無線ネットワークにおいてネットワーク又はセルを選択する装置であって、対応する無線ネットワーク又はセルの状態情報を取得するネットワーク又はセル状態検出手段と、各ネットワーク又はセル、及び移動端末自体の属性値に重みを割り当て、ユーザのニーズ情報を取得するユーザニーズ配置手段と、移動端末の操作に関する情報を取得する端末機器検出手段と、無線ネットワーク及び移動端末自体の状態情報と、重みが割り当てられた属性重みベクトルとに基づき、属性マトリクスを利用して各予備ネットワーク又はセルの評価値を計算し、各予備ネットワーク又はセルの評価値に基づいてネットワーク又はセルを選択するネットワーク又はセル選択確定手段とを備える装置を提供する。
【発明の効果】
【００２４】
本発明によれば、効用（Ｕｔｉｌｉｔｙ）要因を利用してネットワーク又はセルの特性とユーザサービスニーズとの効果的な結合を実現し、ネットワーク又はセルを選択するプロセスにおいてユーザの異なるネットワーク又はセル間の均一分布を実現し、更にネットワーク又はセル間に存在可能な「ピンポン効果」（Ｐｉｎｇ-Ｐｏｎｇ  ｅｆｆｅｃｔ）を効果的に抑制する。
【００２５】
本発明による無線ネットワーク又はセルにおいてネットワークを選択する方法及び装置は、効用関数を導入し、ユーザの不必要な料金支出を避け、端末機器がユーザのニーズに応じてユーザに最適なネットワークを自動的に選択させることができるようにし、無線異種ネットワーク及び無線同種ネットワークからなる混合ネットワークに適用することができる。無線異種ネットワークにおいて、その無線端末の選択対象はネットワークであり、無線同種ネットワークにおいて、その無線端末の選択対象はセルである。
【００２６】
以下の好ましい実施例と図面を結合した説明を通じて本発明の前記並びにその他の目的と特徴、メリットを更に明らかにする。
【発明を実施するための最良の形態】
【００２７】
以下、本発明の実施例について図面を参照して詳しく説明する。本発明に対する理解を混淆しないため、説明において本発明に対し必要でない細部及び機能を省略する。
【００２８】
図２は、本発明の実施例によるネットワーク又はセル選択装置のブロック図を示す。図２に示すように、本実施例によるネットワーク又はセル選択装置は、インタフェース211、212、…、21Nと、ネットワーク又はセル状態検出ユニット２２と、ユーザニーズ配置ユニット２３と、端末機器状態検出ユニット２４と、ネットワーク又はセル選択確定ユニット２５とを含む。
【００２９】
ネットワーク選択又はセル装置は、ネットワーク又はセル選択をサポートしている移動端末に配置される。ネットワーク又はセル選択装置において、ネットワーク又はセル状態検出ユニット２２は、異なる各無線インタフェース211、212、…、21Nを介して対応する無線ネットワーク又はセル内の状態情報をそれぞれ取得する。ユーザニーズ配置ユニット２３は、ユーザ制御インタフェースによりユーザのニーズ情報を取得する。例えば、ユーザは、各属性値に対する重視程度（重み）及びユーザのサービスニーズ等の情報を制御インタフェースにより入力する。端末機器検出ユニット２４は、端末機器の操作に関する情報を取得する。これらの情報は、例えば、各無線インタフェースの電力消費等を含む。
【００３０】
ネットワーク又はセル状態検出ユニット２２、ユーザニーズ配置ユニット２３及び端末又はセル機器検出ユニット２４は、それぞれ取得した情報をネットワーク又はセル選択確定ユニット２５に入力する。ネットワーク又はセル選択確定ユニット２５は、これらの情報により属性マトリクスに対する処理を実行して、各ネットワーク又はセルの評価値を取得し、ネットワーク又はセルの評価値に基づいてネットワーク又はセルの選択を行う。最後、ネットワーク又はセル選択確定ユニット２５は、選択の結果に基づいて対応する無線インタフェースをアクティブにする。
【００３１】
本発明による主な方法は、ネットワーク又はセル選択確定ユニットによって実現されるものである。
【００３２】
図３は、本発明によって無線ネットワークを選択するプロセスのフローチャートを示す。まず、ステップＳ３０１において、ユーザはそのニーズを配置して、端末にユーザのニーズを了解させる。係る配置は、（１）ユーザが各属性値に割り当てる重みと、（２）ユーザのサービスニーズとを含む。（１）において、当該属性値の重みはユーザの異なる属性に対する重視程度を反映し、ある属性の重みが高いほどユーザが当該属性を重視していることを表明する。（２）において、当該配置はサービスの効用関数により反映されるが、効用関数はユーザの異なるネットワーク又はセルの状態での対応するサービスの満足程度を体現し、効用関数はネットワーク又はセル側のある属性、例えば、ネットワーク又はセルの使用できる帯域幅等で決定される。注意すべきことは、ユーザが配置する内容及び配置対象はこれらに限定されず、他の配置対象を含んでもよいと言うことである。なお、ユーザ端末はネットワーク又はセルの属性値及び自体の属性値を収集して、対応するネットワーク又はセルに対し評価するのに使用する。。ステップＳ３０２において、ユーザが配置する属性重みベクトルと、ネットワークに対応する効用関数と、ユーザ端末が収集したネットワーク又はセルの属性値及び自体の属性値とを属性マトリクスに入力する。
【００３３】
次に、ステップＳ３０３において属性マトリクスを処理し、属性マトリクス中の効用関数に関する属性値を効用関数に代える。重みベクトル及び属性マトリクスを取得した後、対応するアルゴリズムにより属性マトリクスを処理する（処理方法は後述する）。その後、ステップＳ３０４において、属性マトリクス処理によって各予備ネットワーク又はセルの評価値を取得する。そして、ステップＳ３０５において、取得したネットワーク又はセルの評価値に基づき最終の目標ネットワーク又はセルを確定する。
【００３４】
下記の式（４）は、属性マトリクスの表現方式を示す。
【数４】
2008263612.tif 000006
【００３５】
属性マトリクス中の行が異なる予備ネットワーク又はセルを表し、属性マトリクスの列が異なる属性値を表す。これらの属性値は、ネットワーク又はセル側の属性値も含めば、端末側の属性値も含む。例えば、α13は属性値３のネットワーク又はセル１での値を表す。本発明は、属性マトリクス中の２番目の列に新規ネットワーク又はセル側属性値、即ちアクセス遅延（Ａｃｃｅｓｓ  Ｄｅｌａｙ）を導入している。「アクセス遅延」と言う属性値は、ユーザがネットワーク又はセル内で認証及び認可を行うためにかかる時間を表す。
【００３６】
本発明によれば、下記の３種類の計算方法を用いて属性マトリクスを処理することができる。
【００３７】
（１）単純平均重み付け法
（２）理想解近似順位付け法
（３）灰色関連度分析法
上記の３種類の計算方法は、個別に使用しなければならず、混合して使用してはいけない。以下、各種の異なるアルゴリズムをそれぞれ説明する。
【００３８】
まず、単純平均重み付け法の処理プロセスを説明する。下記の式（５）に従い属性マトリクス内の各要素を変換する。
【数５】
2008263612.tif 000007
【００３９】
ここで、
【数６】
2008263612.tif 000008
は
【数７】
2008263612.tif 000009
が式（５）によって変換された値を、
【数８】
2008263612.tif 000010
は属性マトリクスi番目の行の最大値を、Iは受信信号強さのように取り得る値が大きいほどユーザが吸引されることを表す属性集合を、
【数９】
2008263612.tif 000011
はネットワークの価格のように数値が小さいほどユーザを吸引することを表す属性集合を、それぞれ表している。そして、下記の式（６）を利用して変換後の属性マトリクスを処理して、各ネットワーク又はセルの評価値を取得する。
【数１０】
2008263612.tif 000012
【００４０】
ここで、Riはネットワークiに対する評価値を、wjはユーザが属性jに割り当てる重み値を、それぞれ表している。
【００４１】
以下、理想解近似順位付け法の処理プロセスを説明する。理想解近似順位付け法を採用する処理において、下記の式（７）に従い属性マトリクス内の各要素を変換する。
【数１１】
2008263612.tif 000013
【００４２】
そして、変換後の属性マトリクスから式（８）及び式（９）にそれぞれ示すような理想最適選択方案及び理想最悪選択方案を取得する。ここで、式（８）は理想最適選択方案を、式（９）は理想最悪選択方案をそれぞれ表している。
【数１２】
2008263612.tif 000014
【数１３】
2008263612.tif 000015
【００４３】
そして、下記の式（１０）による計算を利用して、ネットワーク又はセルの評価値Riを取得する。
【数１４】
2008263612.tif 000016
【００４４】
最後、灰色関連分析法の処理プロセスを説明する。灰色関連分析法を採用する処理において、下記に与えられた式（１１）を利用して属性マトリクス内の各要素を変換する。
【数１５】
2008263612.tif 000017
【００４５】
式（１１）における
【数１６】
2008263612.tif 000018
は下記の式（１２）に示すようなものであり、
【数１７】
2008263612.tif 000019
は下記の式（１３）に示すようなものである。
【数１８】
2008263612.tif 000020
【数１９】
2008263612.tif 000021
【００４６】
上記の式（１２）及び（１３）を式（１１）に代入すると、変換した属性値を取得することができる。最後、上記の式（６）を利用してネットワーク又はセルの評価値を取得することができる。
【００４７】
上記の３種類のアルゴリズムによって、各ネットワークに対する評価値を計算することができる。移動端末はユーザの配置に基づき、異種無線ネットワークにおいて目標ネットワークを確定することができる。
【００４８】
図４は、本発明による異種無線ネットワークの例を挙げてネットワークを選択するプロセスにおいて目標ネットワークを確定する方法を示すフローチャートである。図４において、符号Ｉで表される大きいブロックに含まれるステップはユーザの異種無線ネットワーク内における均一分布を実現するプロセスに関し、符号ＩＩで表される大きいブロックに含まれるステップはネットワーク内に存在している「ピンポン効果」を抑制することに関する。
【００４９】
以下、異種無線ネットワークにおいて目標ネットワークを確定するプロセスを説明する。まず、ステップＳ４０１において、上記の図３を参照して説明したプロセスに基づいてネットワーク全体の評価値を取得することができる。ステップＳ４０２において、目標ネットワークを選択するために、取得した各ネットワークの評価値を所定の閾値と比較し、ネットワーク予備リストから評価値が所定の閾値を下回る全てのネットワークを削除する。次に、ステップＳ４０３において、ネットワーク予備リスト内に残っているネットワークの評価値の総計を計算して、ネットワーク毎の選択確率区間を確定するのに使用する。その後、ステップＳ４０４において、計算した残りネットワークの評価値の総計に基づいて、これらの残りネットワークの中のネットワーク毎の選択確率区間を確定する。本発明では、ネットワークiの確率選択区間が下記の式（１４）に示すようになる。
【数２０】
2008263612.tif 000022
【００５０】
ここで、Aiはネットワークiの確率選択区間を表す。
【００５１】
そして、ステップＳ４０５において、目標ネットワークの選択のために、［０，１］の間に均一に分布された乱数Vを発生する。ステップＳ４０６において、乱数の位置するネットワーク選択確率区間を確定する。ステップＳ４０７において、端末が新規ネットワークを選択したか否かを判断する。発生した乱数V∈Aiとなると、ネットワークiを目標ネットワークとして選択する。端末がランダムに確定したネットワークが現在アクセスされているネットワークであれば、端末はネットワークアクセスポイントをさらに変更する必要がない。その反面、端末がランダムに確定したネットワークが新規ネットワークであれば、端末はブロックＩＩにおけるステップを実行し続ける。
【００５２】
そして、ステップＳ４０７において新規ネットワークを選択していないと判断した時、フローはステップＳ４１０に進み、端末は新規ネットワークにアクセスしないと確定する。一方、ステップＳ４０７において新規ネットワークを選択したと判断された時、フローはステップＳ４０８に進み、新規ネットワークにアクセスする条件（係る条件は後述）を満たすか否かを判断する。ステップＳ４０８において移動端末が新規ネットワークにアクセスする条件を満たしていないと判断されると、フローはステップＳ４１０に進み、当該移動端末は新規ネットワークにアクセスしない。これに反して、ステップＳ４０８において新規ネットワークにアクセスする条件を満たすと判断されると、移動端末はステップＳ４０９にて新規ネットワークにアクセスする。なお、上記方法は無線異種ネットワークに限定されない。選択対象がセルである場合、該方法は同様に無線同種ネットワークに適用されることができる。
【００５３】
図５ａ乃至５ｃは、無線異種ネットワークの例を挙げて、新規ネットワークにアクセスするのを満たすか否かを判断する他の方法を表す。なお、これらの他の方法は、個別に使用しなければならず、混合して使用してはならない。以下、図５ａ〜５ｃを参照して、新規ネットワークにアクセスするのを満たすか否かを判断する方法の異なるプロセスを説明する。
【００５４】
図５ａは、既存（旧）ネットワークのサービス満足度と新規及び既存ネットワークの評価値とに基づいて新規ネットワークにアクセスする条件を満たすか否かを判断するフローチャートである。図５ａに示すように、ステップＳ５０１ａにおいて、現在位置しているネットワーク（既存ネットワーク）のサービス満足度がある所定の閾値より小さいかを判断する。ステップＳ５０１ａにおける判断結果が否定であれば、フローはステップＳ５０４ａに移行し、移動端末が新規ネットワークにアクセスしない。ステップＳ５０１ａにおける判断結果が肯定であれば、フローはステップＳ５０２ａに移行して、新規ネットワークの評価値が現在位置しているネットワークの評価値より大きいかを判断し、ステップＳ５０２ａにおける判断結果が否定であれば、フローはステップＳ５０４ａに移行し、移動端末は新規ネットワークにアクセスしない。ステップＳ５０２ａにおける判断結果が肯定であれば、フローはステップＳ５０３ａに進み、移動端末は新規ネットワークにアクセスする。
【００５５】
図５ｂは、新規及び既存ネットワークの評価値の比の値を利用して新規ネットワークにアクセスする条件を満たすか否かを判断するフローチャートである。図５ｂに示すように、ステップＳ５０１ｂにおいて、上記方法により計算した新規ネットワーク及び既存ネットワークの評価値を取得して、新規ネットワーク（既存ネットワーク）の評価値と既存ネットワークの評価値との比がある所定の閾値より小さいか否かを判断する。ステップＳ５０１ｂにおける判断結果が否定であれば、フローはステップＳ５０３ｂに移行し、移動端末は新規ネットワークアクセスしない。ステップＳ５０１ｂにおける判断結果が肯定であれば、フローはステップＳ５０２ｂに進み、移動端末は新規ネットワークにアクセスする。
【００５６】
図５ｃは、既存ネットワークのサービス満足度と新規及び既存ネットワークの評価値の比とを利用して、新規ネットワークにアクセスする条件を満たすか否かを判断するフローチャートである。図５ｃに示すように、ステップＳ５０１ｃにおいて、現在位置しているネットワーク（既存ネットワーク）のサービス満足度がある所定の閾値より小さいかを判断する。ステップＳ５０１ｃにおける判断結果が否定であれば、フローはステップＳ５０４ｃに移行し、移動端末は新規ネットワークにアクセスしない。ステップＳ５０１ｃにおける判断結果が肯定であれば、フローはステップＳ５０２ｃまで実行し、新規ネットワークの評価値と既存ネットワークの評価値との比が所定の閾値より大きいかを判断し、ステップＳ５０２ｃにおける判断結果が否定であれば、フローはステップＳ５０４ｃに移行し、移動端末は新規ネットワークアクセスしない。ステップＳ５０２ｃにおける判断結果が肯定であれば、フローはステップＳ５０３ｃまで実行し、移動端末は新規ネットワークにアクセスする。
【００５７】
図５ｂ及び５ｃに示す方法において、現在のネットワーク及び新規ネットワークのサービス満足度によって現在のネットワーク及び新規ネットワークの評価値と比較しようとする閾値を確定すればよいが、他のネットワーク側や機器側の属性から当該閾値を決定しても良い。
【００５８】
図２に示すネットワーク選択確定ユニット２５によって上記の図５ａ乃至５ｃを参照して説明した動作を実行しても良い。
【００５９】
同様に、上記方法は無線異種ネットワークに限定されない。選択対象がセルである場合にも、該方法は同様に無線同種ネットワークに適用されることができる。
【００６０】
図６ａ及び６ｂは、本発明の方法により異種無線ネットワークにおいてネットワーク又はセルを選択する実現方式を示す模式図である。
【００６１】
図６ａに示す実現方式において、移動端末をカバーしている各予備ネットワーク又はセルＡ，Ｂ，Ｃは、現在のネットワーク又はセル側属性値をブロードキャストチャネルを介して移動端末へブロードキャストする。移動端末は受信したネットワーク又はセル側属性値に基づいて、本発明の方法に従いネットワーク又はセルの評価値を計算し、目標ネットワーク又はセルを確定する。
【００６２】
図６ｂに示す実現方式において、移動端末の現在アクセスしているネットワーク又はセルを当該移動端末のエージェントとし、有線ネットワークを介して予備ネットワーク又はセルから予備ネットワーク又はセルの現在のネットワーク又はセル側属性値を取得する。全ての予備ネットワーク又はセルの属性値を取得した後、現在アクセスしているネットワーク又はセルは、移動端末が提供する重みベクトル及び特定サービスに対する効用関数に基づいて、予備ネットワーク又はセルの評価値の一部を計算する。そして、計算結果を移動端末に送信する。移動端末は、自体が計算したネットワーク又はセルの評価値の他の部分と現在アクセスしているネットワーク又はセルが計算したネットワーク又はセルの評価値の部分とを加算して最終のネットワーク又はセルの評価値を取得し、最後、本発明の方法に従い最終の目標ネットワーク又はセルを確定する。
【００６３】
以下、図６ａ及び６ｂを参照して移動端末がネットワーク又はセルを選択する実施例を説明する。
【００６４】
図６ａに示す方式において、あるユーザの移動端末ＭがネットワークＡ及びネットワークＢによって共通にカバーされており、且つ移動端末Ｍがまだ如何なるネットワークにもアクセスしていないとする。移動端末が１つのネットワークを選択して１セグメントのビデオデータを転送しようとする時、まず、移動端末Ｍはユーザが予め設定した１セットの属性重みを読み取る必要がある。これらの属性重みは、ユーザの異なる属性に対する重視程度を表明している。ユーザが関心を持っている属性値は、ネットワークが提供するサービス満足度（Ｕｔｉｌｉｔｙ）、ネットワークの価格（Ｐｒｉｃｅ）、及び無線インタフェースの電力消費（Ｐｏｗｅｒ）であるとしても良い。そして、移動端末Ｍは、ユーザが予めビデオサービスに設定した効用関数（Ｕ）を読み取る必要がある。効用関数は、ユーザのサービス満足度（Ｕｔｉｌｉｔｙ）を表す。効用関数は、ネットワークの使用可能帯域幅（Ｂａｎｄｗｉｄｔｈ）によって決定されるものとする。
【００６５】
移動端末Ｍは、ユーザの配置を読み取った後、ネットワークＡ及びネットワークＢからブロードキャストされる帯域幅や価格のようなネットワーク側属性値をモニターし、自体の電力消費のような端末側属性値の収集を開始する。属性値の取得を完了した後、移動端末Ｍは属性マトリクスを作成する。そして、移動端末Ｍはユーザが設定した効用関数（Ｕ）に基づきネットワークＡ及びネットワークＢが提供できるサービス満足度（Ｕｔｉｌｉｔｙ）を計算し、属性マトリクス内の使用可能帯域幅（Ｂａｎｄｗｉｄｔｈ）を当該パラメータに代える。次に、移動端末Ｍは、上記の計算方法によりネットワークＡの評価値（RA）及びネットワークＢの評価値（RB）を取得する。対応するネットワークの評価値を取得した後、移動端末Ｍは取得したネットワーク評価値に基づいて目標ネットワークの確定を開始する。
【００６６】
目標ネットワークを確定する時、移動端末Ｍは図４におけるブロックＩに示すステップに従い目標ネットワークを確定する。移動端末Ｍが最後に確定した目標ネットワークはネットワークＢであるとする。そして、移動端末Ｍは図４におけるブロックＩＩに示すステップに従いネットワークアクセスポイントの変更が必要であるか否かを判断する。本実施例において、移動端末Ｍはネットワークを選択する前に如何なるネットワークにもアクセスしていないため、端末は最後にネットワークＢを選択してビデオを転送する。
【００６７】
上記の実施例において、移動端末はネットワークにアクセスしていない場合にアクセスしようとするネットワークを選択することについて説明する。また、上記の実施例において、ネットワークの属性値にはネットワークにアクセスする時のアクセス遅延を考慮していない。以下、ネットワークにアクセスした移動端末がネットワークアクセスポイントを変更し、アクセス遅延を考慮する実施例を説明する。
【００６８】
ユーザの移動端末ＭがネットワークＡ，ネットワークＢ，ネットワークＣによって共通にカバーされており、移動端末Ｍが現在ネットワークＣを介してビデオを転送しているとする。移動端末Ｍがアクセスしているネットワークを変更しようとする時、移動端末Ｍはまず、ユーザが予め設定した１セットの属性重みを読み取る必要があり、設定した属性重みは、ユーザの異なる属性に対する重視程度を表明している。ユーザが関心を持っている属性値は、ネットワークが提供するサービス満足度（Ｕｔｉｌｉｔｙ）、ネットワークの価格（Ｐｒｉｃｅ）、及び無線インタフェースの電力消費（Ｐｏｗｅｒ）であるとしても良い。さらに、ネットワークＡ，ネットワークＢ及びネットワークＣ内のアクセス遅延（Ａｃｃｅｓｓ  Ｄｅｌａｙ）に一つの重みが割り当てる必要がある。ユーザ自体がこの属性を関心していないが、移動端末ＭがネットワークＣを介してビデオを転送している時、移動端末Ｍがネットワークアクセスポイントを頻繁に変更することによって転送が中断されないように保証しなければならない。このため、アクセス遅延の属性をネットワークの選択プロセスに導入する必要がある。移動端末Ｍは、さらにユーザがビデオサービスのために予め設定した効用関数（Ｕ）を読み取る必要がある。効用関数はユーザのサービス満足度（Ｕｔｉｌｉｔｙ）を表し、ネットワークの使用可能帯域幅（Ｂａｎｄｗｉｄｔｈ）によって効用関数が決定されるとしても良い。
【００６９】
移動端末Ｍは、ユーザの配置を読み取った後、各予備ネットワークからブロードキャストされる帯域幅や価格のようなネットワーク側属性値をモニターし、自体の端末側属性値の収集を開始する。属性値の取得を完了した後、移動端末Ｍは属性マトリクスを作成する。そして、ユーザが設定した効用関数（Ｕ）に基づきネットワークＡ，ネットワークＢ及びネットワークＣが提供できるサービス満足度（Ｕｔｉｌｉｔｙ）を計算し、属性マトリクス内の使用可能帯域幅（Ｂａｎｄｗｉｄｔｈ）を当該パラメータに代える。そして、移動端末Ｍは、計算によってネットワークＡの評価値（RA）、ネットワークＢの評価値（RB）、及びネットワークＣの評価値（RC）を取得する。対応するネットワークの評価値を取得した後、移動端末Ｍは取得したネットワーク評価値に基づいて目標ネットワークを確定する。
【００７０】
目標ネットワークを確定する時、移動端末Ｍは図４におけるブロックＩに示すステップに従い目標ネットワークを確定する。最後に確定した目標ネットワークはネットワークＢであるとしても良い。そして、移動端末Ｍは図４におけるブロックＩＩに示すステップに従いネットワークアクセスポイントの変更が必要であるか否かを判断する。端末Ｍが位置しているネットワークがネットワークＣであるため、端末は最後にネットワークアクセスポイントを変更し、ネットワークＢを介してビデオを転送する必要がある。
【００７１】
以下、図６ｂに示す実現方法における実施例を説明する。あるユーザの移動端末Ｍが１セグメントのビデオを転送する必要があり、当該ユーザの移動端末ＭがネットワークＡ，ネットワークＢ及びネットワークＣによって共通にカバーされており、ネットワークＡが移動端末Ｍの現在アクセスしてるネットワークであるとしても良い。ネットワークＢ及びネットワークＣに関する属性値を取得して目標ネットワークの選択を行うため、移動端末ＭはネットワークＡが自体のエージェントとなるようにネットワークＡに要求を送信し、有線ネットワークを介してネットワークＢ及びネットワークＣに対し対応する属性値を照会する。さらに、端末はネットワーク側属性値に関する重み値もネットワークＡに伝達する。ネットワークＡは、ネットワークＢ及びネットワークＣから戻った属性値を受信した後、移動端末Ｍから送信した重み値を利用してネットワーク側属性値により決定されたネットワークの評価値の一部を計算する。次に、ネットワークＡはこの部分の計算して得られた評価値を移動端末Ｍに送信する。移動端末Ｍは、ネットワークＡが計算して得られたネットワークの評価値の一部と、自体が計算して得られた残り部分のネットワーク属性値とを利用して、各ネットワークの最終評価値を取得してネットワークの選択に使用する。
【００７２】
本発明によれば、異種無線ネットワークにおける選択プロセスにおいて、ネットワーク側属性及び移動端末側属性の種類や数量を制限しない。したがって、本発明はユーザの各種ニーズ及び各種の異種無線ネットワーク環境に適用されることができる。従来のネットワーク選択方法と比べると、より良好な柔軟性及び拡張性を有する。
【００７３】
同様に、無線同種ネットワークの場合、移動端末Ｍが一定のビデオを転送し、該端末がネットワークＮ中の複数のセルによってカバーされているとする。即ち、図６ａ及び６ｂに示すように、ＭがセルＡ，セルＢ，セルＣによって同時にカバーされており、端末Ｍが現在セルＣを介してビデオを転送しているとする。このような場合、移動端末Ｍは、まず、ユーザが予め設定した１セットの属性重みを読み取る必要があり、設定した属性重みは、ユーザの異なる属性に対する重視程度を表明している。ユーザが関心を持っている属性値は、セルが提供するサービス満足度（Ｕｔｉｌｉｔｙ）、セルの価格（Ｐｒｉｃｅ）、及び無線インタフェースの電力消費（Ｐｏｗｅｒ）であるとしても良い。さらに、セルＡ，セルＢ及びセルＣ内のアクセス遅延（Ａｃｃｅｓｓ  Ｄｅｌａｙ）に一つの重みが割り当てる必要がある。ユーザ自体がこの属性を関心していないが、移動端末ＭがセルＣを介してビデオを転送している時、セルアクセスポイントを頻繁に変更することによって転送が中断されないように保証しなければならない。このため、この属性をセルの選択プロセスに導入する必要がある。移動端末Ｍは、さらにユーザがビデオサービスのために予め設定した効用関数（Ｕ）を読み取る必要がある。効用関数はユーザのサービス満足度（Ｕｔｉｌｉｔｙ）を表し、セルの使用可能帯域幅（Ｂａｎｄｗｉｄｔｈ）によって効用関数が決定されるとしても良い。
【００７４】
移動端末は、ユーザの配置を読み取った後、各予備セルからブロードキャストされるネットワーク側の属性値（Ｂａｎｄｗｉｄｔｈ及びＰｒｉｃｅ）をモニターし、自体の端末側属性値の収集を開始する。属性値の取得を完了した後、端末は属性マトリクスを作成する。そして、ユーザが設定した効用関数（Ｕ）に基づきセルＡ，セルＢ及びセルＣが提供できるサービス満足度（Ｕｔｉｌｉｔｙ）を計算し、属性マトリクス内の使用可能帯域幅（Ｂａｎｄｗｉｄｔｈ）を当該パラメータに代える。そして、移動端末は、予め決定した計算方法（例えば、端末は、上記の単純平均重み付け法、理想解近似順位付け法、又は灰色関連度分析法を採用してもよい）によってセルＡの評価値（RA）、セルＢの評価値（RB）、及びセルＣの評価値（RC）を取得する。セルの評価値を取得した後、端末は取得したセルの評価値に基づいて目標セルを確定する。
【００７５】
目標セルを確定する時、移動端末は図５におけるブロックＩに示すステップに従い目標セルを確定し、図５において、予備ネットワークが本実施例における予備セルに相当し、最後に確定した目標セルがセルＢであるとしても良い。そして、移動端末は図５におけるブロックＩＩに示すステップに従いセルアクセスポイントの変更が必要であるか否かを判断する。端末Ｍが位置しているセルがセルＣであるため、端末は最後にセルアクセスポイントを変更して、セルＢを介してビデオを転送する必要がある。
【００７６】
尚、本発明は、ユーザの不必要な支出を効果的に減少することができる。効用理論によると、ネットワーク帯域幅の増加が必ずユーザのサービスに対する満足度を増加させるとは言えないが、従来技術は、通常このような場合を考慮していない。したがって、ユーザに帯域幅の広いネットワーク又はセルを選択させても、ユーザのサービスに対する満足度は顕著に増加しない可能性もある。しかしながら、セルラーシステムについては、帯域幅の広いネットワーク又はセルは、通常、より高い価格を意味しており、このようにユーザの支出が増加されるが、サービスに対する満足度は顕著に増加しない可能性がある。
【００７７】
また、本発明の方法及び装置は、ネットワーク又はセル内のユーザがより均一に分布されるようにすることができる。これは、本発明の方法及び装置では、全ての移動端末が同時に同様なネットワーク又はセルを選択しないように、目標ネットワークの選択又はセルの選択段階に移動端末にランダム化選択の方法を採用させるからである。従来技術の方法において、全ての端末のいずれも評価値の最も高いネットワーク又はセルを選択するので、ユーザが各ネットワーク又はセル内に不均一に分布されると言う問題があり、したがって、ネットワーク又はセルの輻輳を招来し、さらにネットワーク又はセル性能の悪化を招来してしまう可能性がある。
【００７８】
本発明の方法及び装置は、ネットワーク又はセル内に存在可能な「ピンポン効果」を効果的に抑制できる。本発明によると、属性マトリクス内にネットワーク又はセルのアクセス遅延を導入し、移動端末が現在アクセスしているネットワーク又はセルは、他の予備ネットワーク又はセルに比べて、その評価値はある程度高まる。これは、現在アクセスしているネットワーク又はセルについて、そのアクセス遅延が０であり、他の予備ネットワーク又はセルのアクセス遅延がいずれも０より大きいからである。したがって、評価値を計算する時、現在アクセスしているネットワーク又はセルの評価値を高めて、端末が引き続き本来のネットワークに留まる可能性を増加させている。
【００７９】
さらに、本発明は、ネットワーク又はセルの選択の最後段階にネットワーク又はセルの選択のための閾値を導入した。つまり、移動端末がより良好なネットワーク又はセルを検出したとしても、新規ネットワーク又はセルの評価値が本来のネットワーク又はセルの評価値より必ず一定の閾値分高い場合のみ、端末が新規ネットワーク又はセルにアクセスできるようになるか、又は、本来のネットワーク又はセルが提供するサービス満足度が一定の閾値より低い場合のみ、端末が新規ネットワーク又はセルにアクセスするようになる。上記方法は、いずれも移動端末がネットワーク又はセル間の微小な差異によって頻繁に切り換える可能性をある程度減少させている。
【００８０】
ここまで、本発明について好ましい実施例を合わせて説明した。当業者であれば本発明の精神及び範囲から逸脱しない限り、様々な変更、交換及び追加を行ってもよいことが理解されるはずである。そこで、本発明の範囲は前記特定の実施例に限られるものと理解してはならず、添付した請求項の範囲によって限定されるものである。
【図面の簡単な説明】
【００８１】
【図１】図１は、異種無線ネットワーク環境を示す模式図である
【図２】図２は、本発明の実施例によるネットワーク又はセル選択装置のブロック図である。
【図３】図３は、本発明による無線ネットワークを選択するプロセスを示す模式図。
【図４】図４は、本発明による異種無線ネットワークの例を挙げてネットワークを選択するプロセスにおいて目標ネットワークを確定する方法を示すフローチャートである。
【図５ａ】図５ａは、それぞれ本発明による異種無線ネットワークの例を挙げてネットワークを選択する方法によって、新規ネットワークにアクセスするか否かを判断する異なる方法を示すフローチャートである。
【図５ｂ】図５ｂは、それぞれ本発明による異種無線ネットワークの例を挙げてネットワークを選択する方法によって、新規ネットワークにアクセスするか否かを判断する異なる方法を示すフローチャートである。
【図５ｃ】図５ｃは、それぞれ本発明による異種無線ネットワークの例を挙げてネットワークを選択する方法によって、新規ネットワークにアクセスするか否かを判断する異なる方法を示すフローチャートである。
【図６ａ】図６ａは、本発明の無線ネットワークにおいてネットワーク又はセルを選択する方法の実現方式を示す模式図である。
【図６ｂ】図６ｂは、本発明の無線ネットワークにおいてネットワーク又はセルを選択する方法の実現方式を示す模式図である。
【図１】
2008263612.tif 000023
【図２】
2008263612.tif 000024
【図３】
2008263612.tif 000025
【図４】
2008263612.tif 000026
【図５ａ】
2008263612.tif 000027
【図５ｂ】
2008263612.tif 000028
【図５ｃ】
2008263612.tif 000029
【図６ａ】
2008263612.tif 000030
【図６ｂ】
2008263612.tif 000031